(57)【要約】【課題】所望の映像信号を選択することによって、当該映像信号に対応するデータの再利用を可能とする。【解決手段】情報記録装置１１１は、情報処理装置１０１において使用されるソフトウェアにより生成された映像信号と、前記映像信号に対応するデータの特定情報との対応付けを管理する。また、映像レンダラ１１８は、選択される前記映像信号に対応する前記特定情報をステータス情報記憶部１１５から取得し、取得された前記特定情報を情報処理装置１０１に対して出力する。【選択図】図１
2008060727.tif 000002
【特許請求の範囲】
【請求項１】
外部装置と通信回線を介して接続される情報管理装置であって、
前記外部装置において使用されるソフトウェアにより生成された映像信号を入力する映像信号入力手段と、
前記ソフトウェアで使用され、前記映像信号に対応するデータを特定するための特定情報を入力する特定情報入力手段と、
前記映像信号と前記特定情報との対応付けを第１の記録部において管理する管理手段と、
任意の映像信号を選択可能な第１の選択手段と、
前記第１の選択手段により選択される前記映像信号に対応する前記特定情報を前記第１の記録部から取得する取得手段と、
前記取得手段により取得された前記特定情報を前記外部装置に対して出力する出力手段とを有することを特徴とする情報管理装置。
【請求項２】
前記ソフトウェアの終了操作があった場合、前記データの保存操作があった場合、前記データに対する一定以上の編集操作があった場合、又は、前記ソフトウェアに対して一定時間以上操作入力がなかった場合、前記特定情報は、当該情報管理装置に対して入力されることを特徴とする請求項１に記載の情報管理装置。
【請求項３】
前記取得手段は、前記選択手段により選択された前記映像信号に対応する前記特定情報が前記第１の記録部にて管理されていなかった場合、前記第１の選択手段により選択された前記映像信号に対して時間的に近くに位置する映像信号に対応する特定情報を取得することを特徴とする請求項１又は２に記載の情報管理装置。
【請求項４】
前記第１の選択手段により選択された前記映像信号に対して時間的に近くに位置する複数の映像信号夫々に対応する特定情報から任意の特定情報を選択する第２の選択手段を更に有し、
前記出力手段は、前記第２の選択手段により前記特定情報が選択された場合、選択された前記特定情報を前記外部装置に対して出力することを特徴とする請求項３に記載の情報管理装置。
【請求項５】
前記映像信号入力手段により入力される前記映像信号を第２の記録部に保存する保存手段を更に有し、
前記第１の選択手段は、前記第２の記録部において保存される前記映像信号から任意の映像信号を選択可能であることを特徴とする請求項１乃至４の何れか１項に記載の情報管理装置。
【請求項６】
前記第２の記録部において保存される前記映像信号を、指定された時点から再生させる再生手段を更に有することを特徴とする請求項５に記載の情報管理装置。
【請求項７】
前記管理手段は、前記映像信号と前記特定情報との対応付けを更に外部装置毎に対応付けて管理し、前記取得手段は、前記選択手段により選択された前記映像信号に対応する前記外部装置の前記特定情報を取得し、前記出力手段は、前記映像信号に対応する前記外部装置に対して前記特定情報を出力することを特徴とする請求項１乃至６の何れか１項に記載の情報管理装置。
【請求項８】
外部装置と通信回線を介して接続される情報処理装置であって、
当該情報処理装置において使用されるソフトウェアで使用されたデータを記録部に格納する格納手段と、
前記ソフトウェアにより生成された映像信号を前記外部装置に対して出力する映像信号出力手段と、
前記映像信号に対応する前記データを特定するための特定情報を前記外部装置に対して出力する特定情報出力手段と、
前記外部装置において前記映像信号と前記特定情報との対応付けが管理され、選択された前記映像信号に対応する前記特定情報を前記外部装置から入力する入力手段と、
前記入力手段により入力された前記特定情報に対応する前記データを前記記録部から取得する取得手段とを有することを特徴とする情報処理装置。
【請求項９】
前記ソフトウェアの終了操作があった場合、前記データの保存操作があった場合、前記データに対する一定以上の編集操作があった場合、又は、前記ソフトウェアに対して一定時間以上操作入力がなかった場合、前記特定情報出力手段は、当該情報管理装置に対して前記特定情報を出力することを特徴とする請求項８に記載の情報処理装置。
【請求項１０】
請求項１乃至７の何れか１項に記載の情報管理装置と、請求項８又は９に記載の情報処理装置とを有することを特徴とする情報処理システム。
【請求項１１】
外部装置と通信回線を介して接続される情報管理装置による情報管理方法であって、
前記外部装置において使用されるソフトウェアにより生成された映像信号を入力するとともに、前記ソフトウェアで使用され、前記映像信号に対応するデータを特定するための特定情報を入力する入力ステップと、
前記映像信号と前記特定情報との対応付けを記録部において管理する管理ステップと、
任意の映像信号を選択可能な選択ステップと、
前記選択ステップにより選択される前記映像信号に対応する前記特定情報を前記記録部から取得する取得ステップと、
前記取得ステップにより取得された前記特定情報を前記外部装置に対して出力する出力手段とを有することを特徴とする情報管理方法。
【請求項１２】
外部装置と通信回線を介して接続される情報処理装置による情報処理方法であって、
当該情報処理装置において使用されるソフトウェアで使用されたデータを記録部に格納する格納ステップと、
前記ソフトウェアにより生成された映像信号を前記外部装置に対して出力するとともに、前記映像信号に対応する前記データを特定するための特定情報を前記外部装置に対して出力する出力ステップと、
前記外部装置において前記映像信号と前記特定情報との対応付けが管理され、選択された前記映像信号に対応する前記特定情報を前記外部装置から入力する入力ステップと、
前記入力ステップにより入力された前記特定情報に対応する前記データを前記記録部から取得する取得ステップとを含むことを特徴とする情報処理方法。
【請求項１３】
請求項１１に記載の情報管理方法をコンピュータに実行させるためのプログラム。
【請求項１４】
請求項１２に記載の情報処理方法をコンピュータに実行させるためのプログラム。
【発明の詳細な説明】
【技術分野】
【０００１】
本発明は、ソフトウェアによって過去の使用されたデータを簡便に再利用するための技術に関するものである。
【背景技術】
【０００２】
アプリケーションプログラムの使用を一旦取りやめて再び使用することがある。従来、このような場合に、オペレーティングシステムの停止時に揮発性のメモリ等に格納されている情報を不揮発性の補助記憶手段に保存しておき、再起動時にこれを復元するという技術が提案されている（例えば、特許文献１、２参照）。
【０００３】
【特許文献１】特開平１０−２９３６１９号公報
【特許文献２】特開２００４−２５２７６９号公報
【発明の開示】
【発明が解決しようとする課題】
【０００４】
しかしながら、上述の方法ではユーザが利用した最後の画面を復元するに留まり、任意の時点での状態に復元することはできない。また、開発業務支援アプリケーションソフトウェアであるバージョン管理ソフトウェアでは、日付やバージョンタグを用いて任意の時点における成果物を取り出すことが可能である。しかしながら、これらは限られたテキスト情報を基に所望の時点のアプリケーションデータを取り出す方法であり、視覚的に思い描いた状態や時点に復元することは困難である。
【０００５】
そこで、本発明の目的は、所望の映像信号を選択することによって、当該映像信号に対応するデータの再利用を可能とすることにある。
【課題を解決するための手段】
【０００６】
本発明の情報管理装置は、外部装置と通信回線を介して接続される情報管理装置であって、前記外部装置において使用されるソフトウェアにより生成された映像信号を入力する映像信号入力手段と、前記ソフトウェアで使用され、前記映像信号に対応するデータを特定するための特定情報を入力する特定情報入力手段と、前記映像信号と前記特定情報との対応付けを第１の記録部において管理する管理手段と、任意の映像信号を選択可能な第１の選択手段と、前記第１の選択手段により選択される前記映像信号に対応する前記特定情報を前記第１の記録部から取得する取得手段と、前記取得手段により取得された前記特定情報を前記外部装置に対して出力する出力手段とを有することを特徴とする。
本発明の情報処理装置は、外部装置と通信回線を介して接続される情報処理装置であって、当該情報処理装置において使用されるソフトウェアで使用されたデータを記録部に格納する格納手段と、前記ソフトウェアにより生成された映像信号を前記外部装置に対して出力する映像信号出力手段と、前記映像信号に対応する前記データを特定するための特定情報を前記外部装置に対して出力する特定情報出力手段と、前記外部装置において前記映像信号と前記特定情報との対応付けが管理され、選択された前記映像信号に対応する前記特定情報を前記外部装置から入力する入力手段と、前記入力手段により入力された前記特定情報に対応する前記データを前記記録部から取得する取得手段とを有することを特徴とする。
本発明の情報管理方法は、外部装置と通信回線を介して接続される情報管理装置による情報管理方法であって、前記外部装置において使用されるソフトウェアにより生成された映像信号を入力するとともに、前記ソフトウェアで使用され、前記映像信号に対応するデータを特定するための特定情報を入力する入力ステップと、前記映像信号と前記特定情報との対応付けを記録部において管理する管理ステップと、任意の映像信号を選択可能な選択ステップと、前記選択ステップにより選択される前記映像信号に対応する前記特定情報を前記記録部から取得する取得ステップと、前記取得ステップにより取得された前記特定情報を前記外部装置に対して出力する出力手段とを有することを特徴とする。
本発明の情報処理方法は、外部装置と通信回線を介して接続される情報処理装置による情報処理方法であって、当該情報処理装置において使用されるソフトウェアで使用されたデータを記録部に格納する格納ステップと、前記ソフトウェアにより生成された映像信号を前記外部装置に対して出力するとともに、前記映像信号に対応する前記データを特定するための特定情報を前記外部装置に対して出力する出力ステップと、前記外部装置において前記映像信号と前記特定情報との対応付けが管理され、選択された前記映像信号に対応する前記特定情報を前記外部装置から入力する入力ステップと、前記入力ステップにより入力された前記特定情報に対応する前記データを前記記録部から取得する取得ステップとを含むことを特徴とする。
【発明の効果】
【０００７】
本発明によれば、所望の映像信号を選択することによって、当該映像信号に対応するデータの再利用が可能となる。
【発明を実施するための最良の形態】
【０００８】
以下、本発明を適用した好適な実施形態を、添付図面を参照しながら詳細に説明する。
【０００９】
（第１の実施形態）
先ず、本発明の第１の実施形態について説明する。図１は、本発明の第１の実施形態に係る情報処理システムの構成を示す図である。
【００１０】
図１において、１０１は情報処理装置であり、ＣＰＵ、メモリ（共に図示せず）等の所謂パーソナルコンピュータと同様のハードウェア及びソフトウェアで構成されている。
【００１１】
１０２は、情報処理装置１０１で動作するアプリケーションソフトウェアである。１０３は、アプリケーションソフトウェア１０２で使用するアプリケーションデータ及びアプリケーションデータの履歴情報が記憶されているファイル履歴記憶部である。なお、ここでいうアプリケーションデータとは、アプリケーションソフトウェア１０２において使用される変数等のデータである。
【００１２】
１０４は、情報処理装置１０１を操作するために必要なユーザインタフェースを出力する映像出力部である。１０５は、アプリケーションソフトウェア１０２及びアプリケーションデータのステータス情報を送受信するステータス情報通信部である。
【００１３】
１０６は、アプリケーションソフトウェア１０２の機能を提供するコアアプリケーション部であり、ファイル履歴記憶部１０３からアプリケーションデータを読み出し、ユーザの指示に従い編集及び保存を行う。
【００１４】
１０８は、ステータス情報を生成するステータス情報生成部である。１０７は、ステータス情報を解析し、その解析結果に応じたアプリケーションデータの読み出しをコアアプリケーション部１０６に指示するステータス情報解析部である。
【００１５】
さらに、同図において、１１１は映像記録装置であり、映像出力部１０４から出力された映像信号とステータス情報通信部１０５から送信されたステータス情報とを蓄積する装置である。
【００１６】
１１２は、ステータス情報通信部１０５とステータス情報の送受信を行うステータス情報通信部である。１１３は、映像出力部１０４から出力された映像信号と後述の蓄積された映像信号とを切替えて出力する映像スイッチである。
【００１７】
１１６は、映像出力部１０４から出力された映像信号を、映像スイッチ１１３を介して受信し、符号化してビデオデータを生成する映像レコーダである。１１７は、映像レコーダ１１６で符号化されたビデオデータを蓄積する映像記憶部である。
【００１８】
１１４は、ステータス情報通信部１１２を介して受信したステータス情報と符号化されたビデオデータのフレームとを関連付ける管理情報を生成するステータス情報管理部である。１１５は、ステータス情報とステータス情報管理部１１４で生成される管理情報とを記録するステータス情報記憶部である。
【００１９】
１１８は、映像記憶部１１７に蓄積されたビデオデータを読み出し、映像信号を生成する映像レンダラである。映像レンダラ１１８は、ビデオデータに関連付けられたステータス情報をステータス情報記憶部１１５から読み出し、ステータス情報通信部１１２を介して情報処理装置１０１に送信する。また、１２１は、映像スイッチ１１３から送られる映像信号を表示するディスプレイモニタである。
【００２０】
図２乃至図５は、第１の実施形態における映像蓄積装置１１１の処理を示すフローチャートである。
【００２１】
図２は、情報処理装置１０１におけるアプリケーションソフトウェア１０２を用いたアプリケーションデータの編集・保存からアプリケーションソフトウェア１０２の終了までに係る処理フローを示している。
【００２２】
まず、アプリケーションソフトウェア１０２を起動する（Ｓ２０１）。コアアプリケーション部１０６は、アプリケーションデータを新規作成したり、既存アプリケーションデータの選択を行って所望のアプリケーションデータを読み出す（Ｓ２０２）。ここで、既存のアプリケーションデータを読み出す場合には、Ｓ２０１とＳ２０２との順序は問わない。
【００２３】
アプリケーションデータの新規作成、又は、既存のアプリケーションデータの読み出しが終了すると、ステータス情報生成部１０８はステータス情報を生成し、ステータス情報通信部１０５からステータス情報を映像蓄積装置１１１に送信する（Ｓ２０３）。続いて、コアアプリケーション部１０６はアプリケーションデータの編集操作を受け付ける（Ｓ２０４）。
【００２４】
ここで、ステータス情報は、少なくともアプリケーションソフトウェア１０２とステータス情報生成時のアプリケーションデータとを一意に特定できる情報である。例えば、アプリケーションＩＤやアプリケーションソフトウェアを起動するための実行ファイル名や絶対パス、アプリケーションデータのファイル名や絶対パス、更新履歴情報等が考えられる。即ち、Ｓ２０３では、新規作成時又は読み出し時におけるアプリケーションデータと当該アプリケーションソフトウェア１０２とを一意に特定できるステータス情報が生成される。
【００２５】
次に、情報処理装置１０１は、アプリケーションソフトウェアの終了操作が行われたか否かを判定する（Ｓ２０５）。終了操作が行われた場合、ステータス情報生成部１０８は、ステータス情報を生成し、ステータス情報通信部１０５からステータス情報が映像記録装置１１１に送信され（Ｓ２１１）、終了処理を行う。ここで生成されるステータス情報は、当該アプリケーションソフトウェアと、当該アプリケーションソフトウェアの終了操作時におけるアプリケーションデータとを一意に特定できる情報である。
【００２６】
アプリケーションソフトウェアの終了操作が行われていない場合、情報処理装置１０１は、アプリケーションデータの保存操作が行われたか否かを判定する（Ｓ２０６）。保存操作が行われた場合、ステータス情報生成部１０８は、ステータス情報を生成し、ステータス情報通信部１０５からステータス情報が映像記録装置１１１に送信され（Ｓ２０９）、Ｓ２０４の処理に戻る。ここで生成されるステータス情報は、当該アプリケーションソフトウェアと、保存操作が行われたときのアプリケーションデータとを一意に特定できる情報である。
【００２７】
アプリケーションデータの保存操作が行われていない場合、情報処理装置１０１は、一定以上のアプリケーションデータの編集操作が行われたか否かを判定する（Ｓ２０７）。一定以上のアプリケーションデータの編集操作が行われた場合、ステータス情報生成部１０８は、ステータス情報を生成し、ステータス情報通信部１０５からステータス情報が映像記録装置１１１に送信され（Ｓ２０９）、Ｓ２０４の処理に戻る。ここで生成されるステータス情報は、当該アプリケーションソフトウェアと、一定以上の編集操作が行われたと判定された時点のアプリケーションデータとを一意に特定できる情報である。
【００２８】
一定以上のアプリケーションデータの編集操作が行われていない場合、一定時間以上、操作入力が起こらなかったか否かを判定する（Ｓ２０８）。一定時間以上、操作入力がなかった場合、ステータス情報生成部１０８は、ステータス情報を生成し、ステータス情報通信部１０５からステータス情報が映像記録装置１１１に送信され（Ｓ２０９）、Ｓ２０４の処理に戻る。ここで生成されるステータス情報は、当該アプリケーションソフトウェアと、一定時間以上の操作入力が起こらなかったと判定された時点のアプリケーションデータとを一意に特定できる情報である。一方、一定時間が経過するまでに操作入力があったと判定された場合、ステータス情報の生成及び送信が行われることなく、Ｓ２０４の処理に戻る。
【００２９】
上記のように、Ｓ２１０からＳ２０４に処理が戻ると、コアアプリケーション部１０６は、アプリケーションデータの編集操作を引き続き受け付ける。
【００３０】
図３は、映像記録装置１１１におけるビデオデータとステータス情報との記録に係る処理フローを示す図である。
【００３１】
まず、映像記録装置１１１は、情報処理装置１０１から出力された映像信号を、映像スイッチ１１３を介して受信する（Ｓ３０１）。映像レコーダ１１６は受信した映像信号をビデオデータに符号化する（Ｓ３０２）。符号化に関しては、後述する映像レンダラ１１８で逆符号化が可能であれば、ＭＰＥＧ２やＨ．２６４等の標準化されたビデオフォーマットであっても、独自のフォーマットであっても構わない。
【００３２】
続いて、ステータス情報管理部１１４は、ステータス情報通信部１１２においてステータス情報を受信しているか否かを判定する（Ｓ３０３）。受信している場合は、映像レコーダ１１６から符号化しているビデオデータのフレームを特定する情報をステータス情報管理部１１４が取得する（Ｓ３０４）。
【００３３】
続いて、ステータス情報管理部１１４は、取得したフレームを特定する情報とステータス情報管理部１１４が受信したステータス情報とを関連付ける管理情報を生成し、ステータス情報記憶部１１５に記憶させる（Ｓ３０５）。
【００３４】
ここで、フレームを特定する情報は絶対時刻や映像記録装置１１１固有の相対時刻やフレーム番号などが考えられる。以上の処理を継続して行うことでビデオデータとステータス情報との関連を保ちながらそれぞれの情報の記録を継続的に行う。
【００３５】
続いて、映像レコーダ１１６は、映像信号から符号化されたビデオデータを映像記憶部１１７に記憶する（Ｓ３０６）。なお、Ｓ３０３において、ステータス情報を受信していないと判定された場合、Ｓ３０４及びＳ３０５を実行することなく、映像レコーダ１１６によって符号化されたビデオデータが映像記憶部１１７に記憶される。以上の処理は繰り返し実行される。
【００３６】
図４は、映像記録装置１１１におけるビデオデータとステータス情報の読み出しに係る処理フローを示している。
【００３７】
まず、ユーザの操作に基づき、映像記録装置１１１（映像記憶部１１７）に記録されたビデオデータの読み出し指示が行われる。これを受けて、映像スイッチ１１３は、ディスプレイモニタ１２１に映し出す映像信号を情報処理装置１０１からの出力映像信号から映像記録装置１１１からの出力映像信号に切り替る（Ｓ４０１）。ここで、ユーザの操作は、映像記録装置１１１に具備された汎用のビデオデッキの再生操作と同様の再生指示および映像出力切替え操作指示でも、情報処理装置１０１に具備された操作入力手段による映像出力切替え操作指示でも構わない。
【００３８】
映像切替え操作指示が行われると、ビデオデータ再生終了指示まで以下の処理を繰り返す。映像レンダラ１１８は、指示されたフレーム又は時刻に対応するビデオデータを読み出し、再生のための映像信号を生成する（Ｓ４０２）。
【００３９】
ユーザは、映像をディスプレイモニタ１２１で確認しながら、所望のアプリケーションデータの検索を行う。次に、映像記録装置１１１は、ユーザから編集作業の開始指示が入力されたか否かを判定する（Ｓ４０３）。ユーザは、所望の映像フレームを発見した際、編集作業開始指示を行う。ここで、編集作業開始の指示操作は、前記のビデオデータの読み出し指示と同様の方法で行うことが可能である。
【００４０】
編集作業開始の指示を受けた場合、映像レンダラ１１８は、編集作業開始指示を受けた時点のビデオデータのフレームからステータス情報記憶部１１５に記憶されたステータス情報を読み出す（Ｓ４０６）。
【００４１】
次に、映像レンダラ１１８は、ステータス情報通信部１１２を介して情報処理装置１０１に読み出したステータス情報を送信する（Ｓ４０７）。ここで、選択したフレームに対応するステータス情報が存在しない場合、そのフレームの前後のフレームに対応するステータス情報のうち一つを自動的に決定して送信することが可能である。或いは、前後の複数フレームに対応するステータス情報の選択肢を表示して送信するステータス情報を決定することも可能である。自動的に送信するステータス情報を決定する場合、より近いフレームに対応するステータス情報、又は、時間的に直前或いは直後のフレームに対応するステータス情報を予め選択する方法が考えられる。
【００４２】
最後に、映像スイッチ１１３にてディスプレイモニタ１２１に映し出す映像信号を、映像記録装置１１１からの出力映像信号から情報処理装置１０１からの出力映像信号に切り替る（Ｓ４０８）。
【００４３】
一方、Ｓ４０３にて、編集作業開始の指示入力を受けていないと判定された場合、映像記録装置１１１は、再生モードの変更指示があったか否かを判定する（Ｓ４０４）。再生モードには早送り再生、巻き戻し再生、頭出し、スロー再生、一時停止等の通常のビデオデッキに搭載されたモードがある。ユーザは場面に応じてこれらのモードを切り替えるための指示入力を行うことができる。ユーザからの再生モードの変更指示があった場合、映像レンダラ１１１はユーザの指示入力に応じて、映像記憶部１１７からのビデオデータの読み出し方法を切り替え、再生モードを変更する（Ｓ４０５）。なお、Ｓ４０２、Ｓ４０３、Ｓ４０５の流れの処理、又は、Ｓ４０２、Ｓ４０３、Ｓ４０４、Ｓ４０５の流れの処理は、ユーザからのビデオデータ再生終了指示があるまで繰り返し実行される。
【００４４】
図５は、情報処理装置１０１におけるステータス情報を用いたアプリケーションソフトウェアの起動とアプリケーションデータの読み出しまでに係る処理フローを示している。
【００４５】
情報処理装置１０１は、映像記録装置１１１からステータス情報を受信すると（Ｓ５０１）、受信したステータス情報を基にアプリケーションソフトウェア１０２を起動する（Ｓ５０２）。続いて、コアアプリケーション部１０６は、当該ステータス情報に対応するアプリケーションデータの読み出しを行う（Ｓ５０３）。前述の図２に示したＳ２０３からの処理フローに遷移する。
【００４６】
上記のように、本実施形態によれば、過去の映像を確認しながら任意のフレーム映像を選択し、その時点のアプリケーションデータを復元することができる。従って、当該アプリケーションデータの編集画面を過去の編集画面と同じ状態で表示させる等、アプリケーションデータの再利用が可能になる。
【００４７】
（第２の実施形態）
次に、本発明の第２の実施形態について説明する。なお、本発明の第１の実施形態に準ずる個所については、説明を割愛する。
【００４８】
図６は、本発明の第２の実施形態に係る情報処理システムの構成を示す図である。６０１〜６０３は、第１の実施形態で説明した図１の１０１に準ずる情報処理装置である。また、６１１及び６２１は、同様に図１の１１１及び１２１に準ずる映像記録装置及びディスプレイモニタである。
【００４９】
６３１は、情報処理装置６０１〜６０３から出力された映像信号を伝送するケーブルを簡易的に示しており、図中で１本の線に結線されているが、それぞれの情報処理装置６０１〜６０３から映像記録装置６１１に直接接続されていても構わない。
【００５０】
６３２は、ステータス情報を伝送するためのケーブルを簡易的に示しており、結線については６３１と同様に図に示した状態とは限らない。
【００５１】
第１の実施形態で説明した映像スイッチ１１３に相当する本実施形態の映像スイッチは、情報処理装置６０１〜６０３から出力される映像信号及び映像レンダラ１１６から出力される映像信号のうちの一つ又は二つ以上を選択して表示することが可能である。この場合、映像スイッチは、映像を選択するためにライン入力番号や入力端子ポート番号等を用いて管理を行う。
【００５２】
本実施形態においてステータス情報は、第１の実施形態で述べたアプリケーションソフトウェアとステータス情報生成時のアプリケーションデータとを一意に特定できる情報に、情報処理装置６０１〜６０３を一意に識別する情報を加えた情報である。例えばＩＰアドレスやＭＡＣアドレスを用いることが可能である。処理フローは第１の実施形態で述べた処理フローと準ずるため詳細は割愛し、差異のある動作フローのみを説明する。また、以下では、第１の実施形態と同様の機能を有する構成については、図１の符号を用いて説明するものとする。
【００５３】
映像レコーダ１１６によって符号化される映像信号は、映像スイッチ１１３に入力される全ての情報処理装置６０１〜６０３からの出力映像をチャネル毎に符号化しても、ディスプレイモニタ６２１に表示している映像を符号化しても良い。
【００５４】
ステータス情報管理部１１４は、ステータス情報を受信した際に、第１の実施形態で述べたフレーム情報と共に、ディスプレイモニタ６２１に表示されている情報処理装置６０１〜６０３の情報及び表示位置を取得する。本実施形態では、これら取得した情報と、フレームを特定する情報及びステータス情報を対応付けた管理情報とを関連付けてステータス情報記憶部１１５内で管理する。これにより、ビデオデータを再生し、所望のフレームを選択してアプリケーションデータの編集を行う際に、選択した映像フレームに対応するアプリケーションデータを復元することができる。従って、当該アプリケーションデータの編集画面を過去の編集画面と同じ状態で表示させる等、アプリケーションデータの再利用が可能になる。
【００５５】
以上のように、本実施形態によれば、複数の情報処理装置が存在する場合においても、過去の映像を確認しながら任意の映像を選択し、その時点のアプリケーションデータを復元することが可能になる。
【００５６】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００５７】
この場合、記憶媒体から読み出されたプログラムコード自体が前述した実施形態の機能を実現することになり、プログラムコード自体及びそのプログラムコードを記憶した記憶媒体は本発明を構成することになる。
【００５８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５９】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００６０】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００６１】
【図１】本発明の第１の実施形態に係る情報処理システムの構成を示す図である。
【図２】情報処理装置におけるアプリケーションソフトウェアを用いたアプリケーションデータの編集・保存からアプリケーションソフトウェアの終了までに係る処理フローを示す図である。
【図３】映像記録装置におけるビデオデータとステータス情報との記録に係る処理フローを示す図である。
【図４】映像記録装置におけるビデオデータとステータス情報の読み出しに係る処理フローを示す図である。
【図５】情報処理装置におけるステータス情報を用いたアプリケーションソフトウェアの起動とアプリケーションデータ読み出しまでに係る処理フローを示す図である。
【図６】本発明の第２の実施形態に係る情報処理システムの構成を示す図である。
【符号の説明】
【００６２】
１０１、６０１〜６０３  情報処理装置
１０２  アプリケーションソフトウェア
１０３  ファイル履歴記憶部
１０４  映像出力部
１０５  ステータス情報通信部
１０６  コアアプリケーション部
１０７  ステータス情報解析部
１０８  ステータス情報生成部
１１１、６１１  映像記録装置
１１２  ステータス情報通信部
１１３  映像スイッチ
１１４  ステータス情報管理部
１１５  ステータス情報記憶部
１１６  映像レコーダ
１１７  映像記憶部
１１８  映像レンダラ
１２１、６２１  ディスプレイモニタ
【図１】
2008060727.tif 000003
【図２】
2008060727.tif 000004
【図３】
2008060727.tif 000005
【図４】
2008060727.tif 000006
【図５】
2008060727.tif 000007
【図６】
2008060727.tif 000008